(57)【要約】【課題】遊技板面に単に貼着するか塗布するのみで装飾して、視角によってこの装飾の色調が変化されてきらびやかな色調を呈することのできる遊技板を提供する。【解決手段】棒状の有機分子を一方向に配向させて多数の層を形成し、これらの各層の配向方向を螺旋的にずらして積層して色彩変調可能な螺旋構造体を構成し、この螺旋構造体を用いて遊技板面を装飾する。螺旋のピッチをキラル添加剤により増減させて複数の螺旋構造体を製造し、この螺旋構造体をＵＶ架橋して配向した有機分子を固定したのちに粉砕してピグメントとなし、このピグメントを用いて色彩変調シートや、ピグメントを塗装原料として用いて装飾する。【選択図】　　図２
2004097618.tif 000002
【特許請求の範囲】
【請求項１】
棒状の有機分子を一方向に配向させて多数の層を形成し、これらの各層の配向方向を螺旋的にずらして積層して色彩変調可能な螺旋構造体を構成し、この螺旋構造体を用いて遊技板面を装飾したことを特徴とする遊技板。
【請求項２】
螺旋のピッチをキラル添加剤により増減させて複数の螺旋構造体を製造し、この螺旋構造体をＵＶ架橋して配向した有機分子を固定したのちに粉砕してピグメントとなし、このピグメントを用いて装飾したことを特徴とする請求項１に記載の遊技板。
【請求項３】
ピグメントが透明基板の間に介在されている色彩変調シートにより装飾したことを特徴とする請求項２に記載の遊技板。
【請求項４】
透明基板に全体の色調を変化させるための下地剤を添加したことを特徴とする請求項３に記載の遊技板。
【請求項５】
ピグメントを塗装原料として用いて装飾したことを特徴とする請求項２に記載の遊技板。
【請求項６】
ピグメントに他の顔料を混合したことを特徴とする請求項３〜５の何れかに記載の遊技板。
【発明の詳細な説明】
【０００１】
【発明の属する技術分野】
本発明は、パチンコなどの遊技を行うための遊技板に関し、特に各種の手段により装飾された遊技板に関するものである。
【０００２】
【従来の技術】
【特許文献１】特開２００１−３３８２８号公報、
【０００３】
パチンコ機などの遊技板においては、遊技の興趣を盛り上げるために各種の装飾が施されている。このための装飾品として絵柄などが描かれたセル板を板面に貼り付けたり、絵柄や数字などを変動させて表示するための液晶画面を備えた役物に備えられている。種々の光変調層を有するシートとして、特開２００１‐３３８２８号公報には、透明基板を覆うように形成された透過性導電層を含む電気応答式光変調シートが開示されている。しかしながら、このような電気応答式光変調シートを装飾品として用いた場合には、これを作動させるための装置が大掛かりになってコスト高になるとともに、役物の大きさを小さくする必要が生じて、却って、遊技の興趣を損なうという問題がある。
【０００４】
【発明が解決しようとする課題】
本発明は上記した従来の問題点を解決して、遊技板面に単に貼着するか塗布するのみで装飾して、視角によってこの装飾の色調が変化されてきらびやかな色調を呈することのできる遊技板を提供するためになされたものである。
【０００５】
【課題を解決するための手段】上記の課題を解決するためになされた本発明の遊技板は、棒状の有機分子を一方向に配向させて多数の層を形成し、これらの各層の配向方向を螺旋的にずらして積層して色彩変調可能な螺旋構造体を構成し、この螺旋構造体を用いて遊技板面を装飾したことを特徴とするものである。
【０００６】
なお、螺旋のピッチをキラル添加剤により増減させて複数の螺旋構造体を製造し、この螺旋構造体をＵＶ架橋して配向した有機分子を固定したのちに粉砕してピグメントとなし、このピグメントを用いて装飾することができる。また、ピグメントが透明基板の間に介在されている色彩変調シートにより装飾ことを特徴とするができるし、透明基板に全体の色調を変化させるための下地剤を添加することができる。また、ピグメントを塗装原料として用いることを特徴とするができるし、さらに、ピグメントに他の顔料を混合して用いることを特徴とするができる。
【０００７】
本発明の遊技板は、棒状の有機分子を一方向に揃えて配列して多数の層を形成し、これらの各層の配列方向を螺旋的にずらして積層して螺旋構造体を構成し、この螺旋構造体を用いて遊技板面を装飾したので、遊技板をきらびやかに装飾することができる。
【０００８】
【発明の実施の形態】
以下に図面を参照しつつ本発明の好ましい実施形態を説明する。
図１は、本発明に用いる螺旋構造体の構造を示す図であって、この螺旋構造体はコレステリック液晶である。コレステリック液晶とは、ステロール分子末端の水酸基をハロゲン化又はエステル化して得られる誘導体またはネマチック液晶にキラルドーバントが添加された異方性液体であって、これを構成する棒状（針状、板状を含む）の有機分子は一方向に揃って配列されて多数の層を形成している。この層の配列方向が少しずつずれて全体として図１のような螺旋構造を持つコレステリック層を形成しているが、この螺旋構造により光が選択的に反射される。
【０００９】
コレステリック層に入射した光は、一部は透過するが、螺旋のピッチ（Ｐ）に対応する特定の波長を有する光は選択的に反射される。その反射波長λＲｅｆは螺旋ピッチ（Ｐ）と平均屈折率（ｎ）の関数で表すことができ、λＲｅｆ＝ｎ・Ｐ、である。
したがって，適当なピッチ幅を有するコレステリック層では可視光を選択的に反射することができる。さらに、人の目には視角に応じた光が飛び込むことになるので、図２に示すように、視角θが大きくなるに連れて選択的に反射された色は短い波長のものへと移行する。
【００１０】
コレステリック層を形成したのちに、図３に示すように、配向した有機分子をＵＶ（紫外線）架橋することによって分子を固定して、光学的特性を決定することができる。さらに、架橋したコレステリック層を取り出して粉砕、分級することによって固有の色調を呈するピグメント（色素）を得ることができる。
【００１１】
上記した螺旋ピッチは、キラルドーバントの添加量を増減することによって、図４に示すように、調整することができる。即ち、キラルドーバント添加の少ない場合は、コレステリック層は大きなピッチで弱いねじれとなり長い波長の色を反射するので、赤色系となる。逆に、キラルドーバント添加の多い場合は、コレステリック層は小さなピッチで強いねじれとなり短い波長の色を反射するので、青色系となる。ピッチを調整して４種のピグメント、即ち、▲１▼青色系ピグメント（視角によって青→透明に色調が変化する）、▲２▼緑系ピグメント（緑→青）、▲３▼金色系ピグメント（金色→緑青）、▲４▼赤色系ピグメント（赤胴色→緑）を準備することにより可視光全体を網羅することができる。
【００１２】
各種のピグメントを透明基板の間に介在させることによって、上記したような４種の色彩変調シートを得ることができる。また、透明基板に、入射光の一部又は全部を反射するカーボンブラックなどの下地剤を添加することによって、色材変調シートの全体の色調を変えることができる。例えば、青色系ピグメントが介在された青色系色彩変調シートにおいて下地を白とした場合は、図５に示すように、下地剤の表面で入射光の透過部分は殆ど完全に反射されることになるので、目視での色彩の印象は乳白色またはパール調となる。青色系色彩変調シートにおいて、下地を黒とした場合は、入射光の透過部分は下地剤に完全に吸収されることになるので、目視での色彩の印象は視角によって緑から青に変調する。また、下地を赤とした場合は、入射光の透過部分は下地剤に一部が吸収され、一部が反射されるので、目視での色彩の印象は視角によってオレンジから紫に色調を変化させることができる。明るい色の下地を用いることによってソフトな色彩効果を得ることができる。
【００１３】
そして、以上のような色彩変調シートを種々の形状に象ったり、それらを適宜組み合わせて接着剤などにより接着することにより、遊技板面を装飾することができる。
【００１４】
また、上記した各種のピグメントを塗装原料として用いて物品の表面に塗布することによっても、遊技板面を装飾することができる。塗装するに当たって、ピグメントは単独で用いてもよいし、異なる色調を呈するピグメントを複数ブレンドして用いてもよい。また、マイカや金属紛などの他の顔料とブレンドして用いることもできる。
【００１５】
【実施例】
図６は本発明のパチンコ機の遊技板である。ほぼ円形の遊技盤１の中ほどに役物２が備えられているが、この役物２の周囲を青色系色彩変調シートを用いた装飾品３により装飾した。また、チューリップ４を赤色系ピグメントを塗装原料に用いて塗装した。また、下部のアタッカー５を赤色系色彩変調シート、及び透明基板にカーボンブラックが０．０５％添加された青色系色彩変調シートなどを用いて装飾した。さらに、上部の飾り６、サイドの飾り７、８、操作ハンドルの掴み部９を種々の色調変調シートと各種のピグメントを用いた塗装との組合わせにより装飾した。
【００１６】
【発明の効果】
以上に説明したように、本発明の遊技板は、棒状の有機分子を一方向に揃えて配列して多数の層を形成し、これらの各層の配列方向を螺旋的にずらして積層して螺旋構造体を構成し、この螺旋構造体を用いて遊技板面を装飾したので、遊技板をきらびやかに装飾することができる。また、螺旋のピッチをキラル添加剤により増減させて複数の螺旋構造体を製造し、この螺旋構造体をＵＶ架橋して配向した有機分子を固定したのちに粉砕してピグメントとなし、このピグメントを色彩変調シートや塗装原料に用いることによって、遊技板を視角によって色彩が変調する装飾品によって華やかに装飾することができる。
【図面の簡単な説明】
【図１】螺旋構造体の構造を示す説明図である。
【図２】コレステリック層による光の選択反射を示す説明図である。
【図３】有機分子をＵＶ架橋により固定する状態を示す説明図である。
【図４】キラル添加剤によりピッチを調整する方法の説明図である。
【図５】入射光の透過部分の反射を示す説明図である。
【図６】遊技板の正面図である。
【図１】
2004097618.tif 000003
【図２】
2004097618.tif 000004
【図３】
2004097618.tif 000005
【図４】
2004097618.tif 000006
【図５】
2004097618.tif 000007
【図６】
2004097618.tif 000008